(57)【特許請求の範囲】
【請求項１】
糸処理用の繊維機械で走行する糸の毛羽を探知して毛羽探知信号を発生する毛羽探知器と、この毛羽探知器により検出された毛羽探知信号のレベルと予め設定した毛羽判定信号レベルとを比較して、毛羽の有無を判別する比較器と、この比較器に毛羽判定信号レベルを設定する毛羽判定信号レベル設定器と、を含む毛羽探知装置において、
毛羽判定信号レベル設定器は、糸種に応じた毛羽判定信号レベルを予め記憶しておく記憶手段と、糸種に対応するデータを入力する入力手段と、この入力手段のデータからそれに対応する毛羽判定信号レベルを上記記憶手段から選択して、上記比較器に出力し、毛羽判定信号レベルを糸種に応じて自動的に設定する選択手段とから構成されていることを特徴とする毛羽探知装置。
【請求項２】
入力手段を手動の入力器により構成することを特徴とする請求項１記載の毛羽探知装置。
【請求項３】
入力手段をバッチ機能を有する親機により構成することを特徴とする請求項１記載の毛羽探知装置。
【請求項４】
比較器の毛羽の有りの出力信号にもとづいて糸処理用の繊維機械に対する停止信号を発生することを特徴とする請求項１、請求項２または請求項３記載の毛羽探知装置。
【発明の詳細な説明】
【０００１】
【発明の技術分野】
本発明は、糸処理用の繊維機械に取り付けられる毛羽探知装置において、探知する毛羽の大きさを糸種ごとに自動で設定する手段に関する。
【０００２】
【従来の技術】
毛羽探知装置は、整経機や糊付け機などの糸処理用の繊維機械に取り付けられる。毛羽探知装置には、通常、探知する毛羽の大きさを糸種により変更するために、感度調節器が設けられている。一般に、繊維工場では、多数の糸種を扱い、１台の糸処理用の繊維機械に多数の糸種が仕掛けられ、その都度、毛羽探知装置の感度調節器の設定を以前に仕掛けた同一品種と全く同一の状態に変更し、その検出結果を以前に仕掛けた同一品種の検出結果と比較することにより、糸品質の判定を行っている。
【０００３】
例えば、実公昭６３−１５３５０号公報に見られるように、従来の技術によると、糸種の変更の度に、感度調節器を手動で同一糸種に対して全く同一のレベルに正確に調整しなければ、糸品質の判定の基準が違ってきて、正確な判定が行えないことになる。しかし、従来の技術によると、その設定は、手動のダイヤル操作によって行われている。このため、その作業が煩雑で、正確さに欠けたり、誤操作が発生しやすいという問題がある。
【０００４】
【発明の目的】
したがって、本発明の目的は、この種の毛羽探知装置において、探知する毛羽の大きさを糸種ごとに自動で正確かつ簡単に設定または調整できるようにすることである。
【０００５】
【発明の解決手段】
上記目的の下に、本発明は、糸処理用の繊維機械で走行する糸の毛羽を探知して毛羽探知信号を発生する毛羽探知器と、この毛羽探知器により検出された毛羽探知信号のレベルと予め設定した毛羽判定信号レベルとを比較して、毛羽の有無を判別する比較器と、この比較器に毛羽判定信号レベルを設定する毛羽判定信号レベル設定器と、を含む毛羽探知装置を前提としている。
【０００６】
そして、毛羽判定信号レベル設定器は、糸種に応じた毛羽判定信号レベルを予め記憶しておく記憶手段と、糸種に対応するデータを入力する入力手段と、この入力手段のデータからそれに対応する毛羽判定信号レベルを上記記憶手段から選択して、上記比較器に出力し、毛羽判定信号レベルを糸種に応じて自動的に設定する選択手段とから構成されている。
【０００７】
なお、入力手段は、手動の入力器により構成するか、またはバッチ機能を有する親機により構成し、糸種に対応するデータを入力する。また、比較器の毛羽の有りにもとづく出力信号は、糸処理用の繊維機械に対する停止信号として、あるいは毛羽数を計数するカウンタの入力信号として利用される。
【０００８】
【発明の実施の形態】
図１は、本発明の毛羽探知装置１を示している。毛羽探知装置１は、毛羽探知器２、大毛羽判別器３、小毛羽判別器４および毛羽判定信号レベル設定器５により構成されている。毛羽探知器２は、糸処理用の繊維機械２１で走行するシート状の糸８に対し投光器６により光を照射し、その光を受光器７によって受光することにより、毛羽の大きさに応じた電気的な毛羽探知信号Ｓ１を発生し、これを増幅器９により増幅して、大毛羽判別器３の内部の比較器１０、および小毛羽判別器４の内部の比較器１１に送り込む。
【０００９】
ここで、大毛羽判別器３の比較器１０は、例えばシュミットトリガー形振幅弁別器や演算増幅器などにより構成されており、図２に示すように、毛羽判定信号レベル設定器５によって予め設定されている大毛羽に対応する毛羽判定信号レベルＬａと毛羽探知器２の増幅器９から送られてくる毛羽探知信号Ｓ１のレベルＬとを比較し、〔毛羽判定信号レベルＬａ≦毛羽探知信号Ｓ１のレベルＬ〕のときに、比較出力信号Ｓ２を発生する。ここで、比較出力信号Ｓ２は、ワンショットマルチバイブレータ１２を駆動して、一定の時間幅の出力信号Ｓ４を発生することにより、カウンタ１４を大毛羽の発生数に応じて歩進させる。なお、比較出力信号Ｓ２またはこれにもとづく出力信号Ｓ４は、停止信号Ｓ６として、糸処理用の繊維機械２１の制御装置２２に対しその繊維機械２１を停止させるための指令としても用いられる。
【００１０】
一方、小毛羽判別器４の比較器１１は、例えばウィンドウコンパレータにより構成されており、図２に示すように、毛羽判定信号レベル設定器５によって予め設定されている小毛羽の範囲に対応する２つの毛羽判定信号レベルＬａ、Ｌｂと毛羽探知器２の増幅器９から送られてくる毛羽探知信号Ｓ１のレベルＬとを比較し、〔毛羽判定信号レベルＬｂ≦毛羽測定信号Ｓ１のレベルＬ＜毛羽判定信号レベルＬａ〕のときに、比較出力信号Ｓ３を発生する。ここで、出力信号Ｓ３は、ワンショットマルチバイブレータ１３を駆動して、一定の時間幅の出力信号Ｓ５を発生することにより、カウンタ１５を小毛羽の発生数に応じて歩進させる。
【００１１】
上記の動作のために、毛羽判定信号レベル設定器５は、繊維機械２１の糸種に応じて毛羽判定信号レベルＬａ、Ｌｂを自動的に設定し、大毛羽判別器３の比較器１０および小毛羽判別器４の比較器１１に出力する。
【００１２】
図３は、毛羽判定信号レベル設定器５の構成を示している。毛羽判定信号レベル設定器５は、糸種に応じた毛羽判定信号レベルＬａ、Ｌｂなどを予め記憶しておく記憶手段１８と、糸種に対応するデータを入力する入力手段１６と、この入力手段１６のデータからそれに対応する毛羽判定信号レベルＬａ、Ｌｂなどを記憶手段１８から選択して、Ａ／Ｄ変換器１９、２０経由で比較器１０、１１に出力し、毛羽判定信号レベルＬａ、Ｌｂなどを糸種に応じて自動的に設定する選択手段１７とから構成されている。
【００１３】
オペレータは、入力手段１６の１つとして、キーボードなどの入力器１６ａを操作することにより、糸種に対応する品番、記号、名称などを入力するか、あるいはバッチ機能を有するホストコンピュータなどの親機１６ｂに設定されているデータに基づいて、通信により、選択手段１７にデータを送り、糸種に応じた毛羽判定信号レベルＬａ、Ｌｂなどを予め記憶手段１８に記憶させておく。なお、ホストコンピュータなどの親機１６ｂは、多数の繊維機械２１を集中制御するもので、制御データなどを一括処理する。
【００１４】
オペレータは、糸処理用の繊維機械２１に仕掛けた糸８の糸種に応じて、入力手段としての入力器１６ａまたは親機１６ｂのキーボードを操作して、選択手段１７により測定対象の糸８の糸種に対応する毛羽判定信号レベルＬａ、Ｌｂなどを記憶手段１８から選択し、大毛羽および小毛羽に応じて、Ａ／Ｄ変換器１９、２０を介して比較器１０、１１に対応の毛羽判定信号レベルＬａ、Ｌｂなどを送り込む。
【００１５】
図４は、一例として親機１６ｂによる品番の登録および品番の呼び出し順序を具体的に示している。オペレータは、品番の登録に際し、大毛羽レベル（Ｌａ）の設定値の入力、小毛羽レベル（Ｌｂ）の設定値の入力に続いて、使用に応じ、制御対象の繊維機械２１の整経機や糊付け機などに対する糸８の走行時の速度、張力などの設定値を入力し、これらを記憶手段１８に記憶させることにより登録を終了する。また、オペレータは、品番の呼び出しに際し、大毛羽、小毛羽に対応するレベル（Ｌａ、Ｌｂ）の呼び出しと設定、速度、張力などの呼び出しと設定を行う。呼び出し後、オペレータは、糸８の糸種に応じて、親機１６ｂから通信により、糸種に対応する毛羽判定信号レベルＬａ、Ｌｂを転送し、それらを比較器１０、１１に設定する。なお、記憶手段１８は、親機１６ｂを利用するときに、コンピュータの記憶器を利用することもできる。
【００１６】
上記具体例は、大毛羽と小毛羽とを同時に検出し、品質評価事項を多く採取する例であるが、例えば小毛羽判別器４は、省略することもできる。また、小毛羽判別器４において、比較器１１をウィンドウコンパレータではなく、毛羽探知信号Ｓ１が毛羽判定信号レベルＬｂより大なる時に、比較出力信号Ｓ３を出力するコンパレータとし、カウンタ１５が出力信号Ｓ５から出力信号Ｓ４を減算することによって小毛羽を計数するように構成することもできる。
【００１７】
【発明の効果】
本発明によれば、毛羽探知装置において、探知する毛羽の大きさの設定を糸種ごとに予め記憶させておき、糸種の決定時に、当該糸種に対応する毛羽判定信号レベルを比較器に設定することにより、毛羽判定信号レベルが自動で正確に調整できるから、糸品質の判定が過去のデータに基づいて一貫した状態で行え、しかも誤入力が発生しにくいため、信頼性の高い毛羽の探知動作や、糸の品質評価が可能となる。
【図面の簡単な説明】
【図１】本発明の毛羽探知装置のブロック線図である。
【図２】本発明の毛羽探知装置による信号の波形図である。
【図３】本発明の毛羽検知装置の毛羽判定信号レベル設定器のブロック線図である。
【図４】入力手段としての親機による品番の登録、品番の呼び出しおよび通信による設定の作業流れ図である。
【符号の説明】
１  毛羽探知装置
２  毛羽探知器
３  大毛羽判別器
４  小毛羽判別器
５  毛羽判定信号レベル設定器
６  投光器
７  受光器
８  糸
９  増幅器
１０  比較器
１１  比較器
１２  ワンショットマルチバイブレータ
１３  ワンショットマルチバイブレータ
１４  カウンタ
１５  カウンタ
１６  入力手段
１６ａ  入力器
１６ｂ  親機
１７  選択手段
１８  記憶手段
１９  Ａ／Ｄ変換器
２０  Ａ／Ｄ変換器
２１  繊維機械
２２  制御装置
Ｓ１  毛羽探知信号
Ｓ２  比較出力信号
Ｓ３  比較出力信号
Ｓ４  出力信号
Ｓ５  出力信号
Ｓ６  停止信号
Ｌ  毛羽探知信号Ｓ１のレベル
Ｌａ  毛羽判定信号レベル
Ｌｂ  毛羽判定信号レベル
【図１】
0003591627.tif 000002
【図２】
0003591627.tif 000003
【図３】
0003591627.tif 000004
【図４】
0003591627.tif 000005